【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】
該携帯電話ネットワークの第１のノードに記憶されており、第２のノードが該第１のノード内の少なくとも１つの加入者パラメータを得る、および／または、変更することが許可されており、該携帯電話ネットワークの第２のノードからアクセス可能な、少なくとも一つの携帯電話ネットワーク（３）加入者パラメータの問合せ、および／または、変更に関する要求により、ＴＣＰ／ＩＰネットワーク内のマシン（１）から携帯電話ネットワーク（２）加入者パラメータを問合せ、および／または、変更するためのシステムであって、該システムが、
ＴＣＰ／ＩＰネットワーク（２）内の前記マシン（１）によってなされた要求を受信するための手段（５）と、
該要求に含まれ、該要求を処理するために必要な要求パラメータを抽出するための手段（５）と、
いろいろな携帯電話ネットワーク加入者各自に関する少なくとも一つの加入者パラメータの記憶手段（７）と、
なされた要求が少なくとも一つの加入者パラメータに関する問合せである場合に、なされた要求に対する応答をマシン（１）に送信するための手段（５）と、
問合せ、および／または、変更される前記少なくとも１つの加入者パラメータが記憶手段（７）内に存在しない場合に、前記携帯電話ネットワーク（３）内の前記少なくとも１つの加入者パラメータを問合せ、および／または、変更する為に、前記携帯電話ネットワーク（３）内の少なくとも１つの加入者パラメータにアクセスする為に必要な携帯電話ネットワークパラメータを得るための手段と、
を有し、
前記必要な携帯電話ネットワークパラメータを得るための手段が、
なされた要求が記憶手段（７）によって処理できなかったことを検出し、該検出後に、当該加入者が登録されている携帯電話ネットワークの前記第１のノードにアクセスする為に、携帯電話ネットワークへのルート指定情報取得メッセージを生成し、それに応答して、前記第１のノードから、必要な携帯電話ネットワークパラメータを含むルート指定パラメータを得る為に配置された要求管理モジュール（６）を有し、
前記必要な携帯電話ネットワークパラメータが携帯電話ネットワークの第２のノードの識別点を含み、前記第２のノードが前記少なくとも１つの加入者パラメータを得る、および／または、変更する為に第１のノードにアクセスすることが許可されており、
前記第２のノードの識別点を、得られた必要な携帯電話ネットワークパラメータから取得し、前記第１のノード内の前記少なくとも１つの加入者パラメータを得る、および／または、変更する為に前記第１のノードにアクセスする為に前記識別点を使用するように、前記システムが配置されている、
ことを特徴とするシステム。
【請求項２】
必要な携帯電話ネットワークパラメータを得るための手段が、さらに、メッセージ作成・送信モジュール（８）を有し、また前記携帯電話ネットワークから、および、前記携帯電話ネットワークへのメッセージをそれぞれ受信して分析し、前記携帯電話ネットワークへのいろいろな信号を送信および受信するモジュール（９）を有する、請求項１に記載のシステム。
【請求項３】
前記ルート指定取得メッセージが、第１のノードに送信されたショートメッセージのためのルート指定取得メッセージであり、
前記ルート指定取得メッセージが、第１のノードがルート指定パラメータを前記システム（４）に送信する為に、送信者のアドレスとしてシステム（４）のアドレスを指定する、請求項１または２に記載のシステム。
【請求項４】
ショートメッセージの為の前記ルート指定取得メッセージが、ショートメッセージの為の送信ルート指定情報（srifsm）メッセージである、請求項３に記載のシステム。
【請求項５】
前記第１のノードが、携帯電話ネットワーク（３）のホームロケーションレジスター（ＨＬＲ）ノードである、請求項１から４のいずれか１つに記載のシステム。
【請求項６】
前記第１のノード内の前記少なくとも１つの加入者パラメータを得る、および／または、変更する為の第１のノードへのアクセスは、更新ロケーションＭＡＰプロトコル動作、または追加サービスＭＡＰプロトコル動作のどれか、を実行することにより得られる、請求項１から５のいずれか１つに記載のシステム。
【請求項７】
前記の第２のノードが、加入者が登録されているビジターロケーションレジスター（ＶＬＲ）ノードである、請求項１から６のいずれか１つに記載のシステム。
【請求項８】
要求を受信するための手段と要求パラメータを抽出する手段とが、ＴＣＰ／ＩＰネットワークからの要求における要求パラメータをシステム（４）が受信および抽出することを可能にする為の、少なくとも一つのプロトコルインタフェース（５）を有する、請求項１から７のいずれか１つに記載のシステム。
【請求項９】
該システム（４）が、ＴＣＰ／ＩＰネットワークで使用される異なるプロトコルにしたがって、該システム（４）がパラメータを受信し、抽出することを可能にする為に、ＴＣＰ／ＩＰネットワークに用意されているプロトコルの各々の為のプロトコルインタフェースを有する、ことを特徴とする請求項８に記載のシステム。
【請求項１０】
要求管理モジュール（６）が、パラメータ抽出手段（５）によって与えられるパラメータを集める為に配置された要求制御モジュール（１１）を有し、前記要求管理モジュール（６）が、さらに、プロトコルインタフェース（５）モジュールに、なされた要求に対する応答を送信するための手段を有し、
該要求管理モジュール（６）が、さらに、少なくとも一つの加入者パラメータの記憶手段（７）に対する要求のためのモジュール（１２）を、前記要求が前記少なくとも一つの加入者パラメータに対する問合せであった場合に前記少なくとも一つの加入者パラメータを得るために、有する、ことを特徴とする請求項８または９に記載のシステム。
【請求項１１】
前記要求管理モジュールが、前記要求制御モジュール（１１）から要求命令を受信したとき、携帯電話ネットワークに対して該要求をなすための、携帯電話ネットワークに対する要求のためのモジュール（１３）をも有し、該モジュール（１３）が、該要求を携帯電話ネットワークに対するメッセージの作成と送信のためのモジュール（８）によって、実行する、ことを特徴とする請求項１０に記載のシステム。
【請求項１２】
前記記憶手段（７）が、ある期間にわたって、問合せまたは変更された加入者パラメータを記憶する為に配置されている、ことを特徴とする請求項１から１１のいずれか１つに記載のシステム。
【請求項１３】
該システム（４）が、前記システムが正しく機能する為に構成データを記憶している構成ディレクトリ（１０）を有する、ことを特徴とする請求項１から１２のいずれか１つに記載のシステム。
【請求項１４】
ＴＣＰ／ＩＰネットワーク内のマシン（１）から受信される要求パラメータが、該記憶手段（７）にアクセスするか、または、前記ルート指定情報取得メッセージを送信する為の手段により、当該携帯電話ネットワークに直接アクセスするか、に関する情報を含む、ことを特徴とする請求項１から１３のいずれか１つに記載のシステム。
【請求項１５】
ＴＣＰ／ＩＰネットワークから携帯電話ネットワーク加入者情報にアクセスするための方法であって、
携帯電話ネットワーク加入者が、当人の携帯電話によってサービスにアクセスし、すると、該サービスが、少なくとも一つの携帯電話ネットワーク加入者パラメータの問合せまたは変更に関する要求を行うために、ＴＣＰ／ＩＰネットワーク内のマシン（１）にアクセスするような方法において、
前記方法が下記のステップ：
前記マシン（１）によってなされた前記要求に含まれる要求パラメータを、前記要求から抽出するステップと、
なされた要求が少なくとも一つの記憶パラメータに関する問合せである場合、前記パラメータに関する情報を得て前記マシン（１）に送信するために、携帯電話ネットワーク加入者に関する少なくとも一つの加入者パラメータの記憶手段（７）に、選択的にアクセスするステップと、
から成り、
該方法が更に下記のステップ：
加入者パラメータが記憶手段（７）内に存在しない場合、該加入者が登録されており、前記少なくとも１つの加入者パラメータが記憶されている、前記携帯電話ネットワークの第１のノードにアクセスする為に、前記携帯電話ネットワークにルート指定情報取得メッセージを送信する為の手段により、前記携帯電話ネットワークにアクセスするステップと、
前記ルート指定情報取得メッセージに応答して、前記第１のノードから、前記第１のノード内の少なくとも１つの加入者パラメータにアクセスする為に、該第１のノードにアクセスを許可された第２の携帯電話ネットワークノードの識別点を含む、必要な携帯電話ネットワークパラメータを含むルート指定パラメータを得るステップと、
前記ルート指定パラメータから、該第２の携帯電話ネットワークノードの前記識別点を取得するステップと、
前記識別点を使用し、前記第１のノード内の少なくとも１つの加入者パラメータを得る、および／または、変更する為に、前記第１のノードにアクセスするステップと、
から成ることを特徴とする方法。
【請求項１６】
該ルート指定情報取得メッセージが、送信者識別点として、ショートメッセージサービスセンター（ＳＭＳＣ）の識別点を使用して送信される、ことを特徴とする請求項１５に記載の方法。
【請求項１７】
該ルート指定情報取得メッセージが、ショートメッセージの為のルート指定取得メッセージである、請求項１５または１６に記載の方法。
【請求項１８】
前記ショートメッセージの為のルート指定取得メッセージが、ショートメッセージの為の送信ルート指定情報（srifsm）メッセージである、請求項１７に記載の方法。
【請求項１９】
前記第１のノードが、携帯電話ネットワーク（３）のホームロケーションレジスター（ＨＬＲ）ノードである、請求項１５から１８のいずれか１つに記載の方法。
【請求項２０】
前記第１のノード内の前記少なくとも１つの加入者パラメータを得る、および／または、変更する為の第１のノードへのアクセスは、更新ロケーションＭＡＰプロトコル動作、または追加サービスＭＡＰプロトコル動作のどれか、を実行することにより得られる、請求項１５から１９のいずれか１つに記載の方法。
【請求項２１】
前記の第２のノードが、携帯電話ネットワーク（３）のビジターロケーションレジスター（ＶＬＲ）ノードである、請求項１５から２０のいずれか１つに記載の方法。
【請求項２２】
前記識別点を使用し、前記第１のノード内の少なくとも１つの加入者パラメータを得る、および／または、変更する為に、前記第１のノードにアクセスするステップにおいて、該第１のノードから受信した第２のノードのアドレスを、携帯アプリケーション部分（ＭＡＰ）プロトコル水準で送信し、応答を送信すべきアドレスを、信号接続制御部分（ＳＣＣＰ）プロトコルのエリア内に送信する、請求項１５から２１のいずれか１つに記載の方法。